(57)【要約】【課題】グレモン装置と錠ケースとの干渉を避けることができ且つグレモン装置の下係合部材及び上係合部材の剛性の低下を防止できる建具を提供する。【解決手段】グレモン装置９は、ハンドル２３と、ハンドル２３の操作に連動して上下動する上係合部材２７及び下係合部材２９と、下係合部材２９とハンドル２３との間に配置し且つ下係合部材２９に連結した錠ケース収納部材３１とを有し、上係合部材２７は上方に移動して上枠３ａに係合し、下係合部材２９は下方に移動して下枠３ｂに係合するものであり、錠ケース収納部材３１は中空を有すると共に戸先側面に錠ケース１５よりも上下寸法の長い錠ケース挿通孔４１が形成してあり、錠ケース１５は錠ケース収納部材３１の中空内に配置してあると共に錠ケース挿通孔４１を介して戸先側縦材７に固定してあり、下係合部材２９に連動して錠ケース収納部材３１が錠ケース１５に対して上下動する。【選択図】図１
2014202045.tif 000002
【特許請求の範囲】
【請求項１】
戸先側縦材に、グレモン装置と、錠ケースを有する錠装置とを備え、グレモン装置は、ハンドルと、ハンドル操作に連動して上下動する上係合部材及び下係合部材と、上係合部材又は下係合部材とハンドルとの間に配置し且つ上係合部材又は下係合部材に連結した錠ケース収納部材とを有し、上係合部材は上方に移動して上枠に係合し、下係合部材は下方に移動して下枠に係合するものであり、錠ケース収納部材は中空を有すると共に戸先側面に錠ケースよりも上下寸法の長い錠ケース挿通孔が形成してあり、錠ケースは錠ケース収納部材の中空内に配置してあると共に錠ケース挿通孔を介して戸先側縦材に固定してあり、上係合部材又は下係合部材に連動して錠ケース収納部材が錠ケースに対して上下動することを特徴とする建具。
【発明の詳細な説明】
【技術分野】
【０００１】
本発明は、ドア等の建具に関する。
【背景技術】
【０００２】
図７に示すように、扉の戸先側縦材１０１にグレモン装置１０３と、錠ケース１０５を有する錠装置１０７を備える建具１０９では、グレモン装置１０３のハンドル１１１の操作に連動して、上係合部材１１３と下係合部材１１５とが互いに上下反対方向に移動して、各々枠１１６に係合したり、係合を解除するようにしてあるが、下係合部材１１５は錠ケース１０５との干渉を避けるためにクランク状にしている。
【先行技術文献】
【特許文献】
【０００３】
【特許文献１】なし
【発明の概要】
【発明が解決しようとする課題】
【０００４】
しかし、下係合部材１１５をクランク状にすると、クランクのコーナ１１７に負荷がかかり易くなる為、下係係合材１１５の剛性が低下するという問題があった。
【０００５】
そこで、本発明は、グレモン装置と錠装置とを備える建具において、グレモン装置と錠ケースとの干渉を避けることができ且つグレモン装置の下係合部材及び上係合部材の剛性の低下を防止できる建具の提供を目的とする。
【課題を解決するための手段】
【０００６】
請求項１に記載の発明は、戸先側縦材に、グレモン装置と、錠ケースを有する錠装置とを備え、グレモン装置は、ハンドルと、ハンドル操作に連動して上下動する上係合部材及び下係合部材と、上係合部材又は下係合部材とハンドルとの間に配置し且つ上係合部材又は下係合部材に連結した錠ケース収納部材とを有し、上係合部材は上方に移動して上枠に係合し、下係合部材は下方に移動して下枠に係合するものであり、錠ケース収納部材は中空を有すると共に戸先側面に錠ケースよりも上下寸法の長い錠ケース挿通孔が形成してあり、錠ケースは錠ケース収納部材の中空内に配置してあると共に錠ケース挿通孔を介して戸先側縦材に固定してあり、上係合部材又は下係合部材に連動して錠ケース収納部材が錠ケースに対して上下動することを特徴とする建具である。
【発明の効果】
【０００７】
請求項１に記載の発明では、錠ケースは錠ケース収納部材に形成してある中空内に配置して錠ケース挿通孔を介して戸先側縦材に固定してあると共に錠ケース挿通孔は錠ケースの上下寸法よりも長くしてあるから、中空内に配置した錠ケースを残して錠ケース収納部材が上下動でき、上係合部材、下係合及び錠ケース収納部材が錠ケースと干渉することがない。
更に、上係合部材及び下係合部材を移動方向に沿って直線状にできるから、これらの部材の剛性の低下を防止できる。
【図面の簡単な説明】
【０００８】
【図１】本実施の形態にかかる建具の戸先側縦材に設けたグレモン装置及び錠装置を抜き出して示す正面図である。
【図２】図６に示すＡ−Ａ断面図である。
【図３】錠ケース収納部材の図であり、（ａ）は正面図、（ｂ）は側面図、（ｃ）は底面図である。
【図４】下係合部材の図であり、（ａ）は側面図、（ｂ）は正面図、（ｃ）は底面図である。
【図５】グレモンケースの図であり、（ａ）は平面図、（ｂ）は正面図である。
【図６】本実施の形態にかかる建具を室内側から見た正面図である。
【図７】従来の建具の戸先側縦材に設けたグレモン装置及び錠を抜き出して示す正面図である。
【発明を実施するための形態】
【０００９】
以下に、添付図面を参照して本発明の実施の形態を説明する。図６に示すように、本実施の形態に係る建具１は、防音ドアであり、枠３と扉５とを備えており、扉５はフラッシュ戸であり、扉５の戸先側縦材７には、グレモン装置９と錠装置１１（図１参照）とが設けてある。枠３は上枠３ａ、下枠３ｂ、戸先側竪枠３ｃを備える。
図１に示すように、錠装置１１は、本実施の形態では、上下に合計２箇所設けてあり、各錠装置１１は、サムターン１３（図６参照）と、錠ケース１５とを備えており、上側にある錠装置１１には開閉ハンドル１７と、開閉ハンドル１７の操作により出没するラッチ１９とが設けてある。また、各錠ケース１５にはサムターン１３の軸１３ａと、サムターンの１３の操作により出没するデッドボルト２１が設けてある。
【００１０】
グレモン装置９は、グレモンハンドル２３と、グレモンケース２５と、上係合部材２７と、下係合部材２９と、錠ケース収納部材３１とを備えている。
図１及び図５に示すように、グレモンケース２５には、上側に上係合部材２７の下端を挿入してグレモンケース内に設けてあるリンク機構に連結してあり、下側に連結部材３３の上端を挿入してグレモンケース内に設けてあるリンク機構に連結してあると共に、戸先側竪枠３ｃに向けて出没するデッドボルト３５（図１参照）が設けてある。グレモンケース２５は、グレモンハンドル２３を操作すると内部にあるリンク機構により、上係合部２７を上方に連結部材３３を下方に移動すると共にデッドボルト３５を突出し、又は上係合部材２７を下方に連結部材３３を上方に移動すると共にデッドボルト３５を没するようになっている。
図５に示すように、連結部材３３の下端には断面コ字形状の上ブラケット３７の上壁３７ａがナット３９で止めてある。上ブラケット３７の両側壁３７ｂ、３７ｂには各々ねじ孔４０が形成してある。
【００１１】
図１〜図３に示すように、錠ケース収納部材３１は、中空形材であり、戸先側壁３１ａには、錠ケース１５を挿入する錠ケース挿通孔４１が形成してある。錠ケース１５は錠ケース挿通孔４１を介して戸先側縦材７の戸先側壁７ａに取付金具４３により固定してある。錠ケース挿通孔４１は錠ケース１５の上下寸法Ｈ１よりも長い寸法Ｈ２にしてあり、錠ケース１５に対して錠ケース収納部材３１が相対的に上下に移動自在になっている。
錠ケース収納部材３１の正面には、サムターン１３の軸１３ａを配置する上下に長い長孔４５が各錠ケース１５に対応して形成してあり、サムターン１３の軸１３ａに対して錠ケース収納部材３１が上下動可能にしてある。また、錠ケース収納部材３１の正面には、ラッチハンドル１７の軸を挿通する長孔４７ａ及び固定部材を挿通する長孔４７ｂが形成してある。
【００１２】
図５に示すように、錠ケース収納部材３１の上端部には、中空内に上述の上ブラケット３７を収納して、上ブラケット３７が錠ケース収納部材３１の戸先側から止めるねじ４９で固定してある。
図３に示すように、錠ケース収納部材３１の下端部には、上ブラケット３７と同様に断面コ字形状を成す下ブラケット５１が固定されている。下ブラケット５１は、錠収納ケース３１の戸先側壁３１ａと吊元側壁３１ｂとにねじ５３で固定してある。この下ブラケット５１の下壁５１ａには、下係合部材２９の上端部が螺合するねじ孔５５が形成されている。
【００１３】
図４に示すように、下係合部材２９は、上端部にねじ部５７を、下端部に枠係合部５９を有する直線状の棒状部材である。枠係合部５９は、下枠３ｂに形成してある係合孔に挿入することで下枠３ｂに係合する。尚、上係合部２７は図４に示す下係合部材２９と同種の部材を用いており、ねじ部５７を下にしてグレモンケース２５の上側から挿入してグレモンケース内に設けてあるリンク機構に螺合により取付けてあり、枠係合部５９を上にして上枠３ａに係合するようにしてある。
【００１４】
次に、本実施の形態にかかる建具１におけるグレモン装置９と錠装置１１との組付けについて説明する。
図１及び図５に示すように、グレモンケース２５の下端部に連結部材３３の上端部を挿入してグレモンケース２５内のリンク機構に連結部材３３の上端部を螺合して取付けると共に連結部材３３の下端部を上ブラケット３７の上壁３７ａに螺合して取付けおく。また、図３に示すように錠ケース収納部材３１の下端部に下ブラケット５１をねじ５３で取付けると共に下ブラケット５１に下係合部材２９のねじ部５７を螺合して、錠ケース収納部材３１に下係合部材２９を取付けておく。
そして、図１に示すように、戸先側縦材７に、上ブラケット３７と共にグレモンケース２５を戸先側縦材７の見込み面から挿入して、グレモンケース２５を戸先側縦材７に固定する。
次に、戸先側縦材７に、錠ケース収納部材３１と共に下係合部材２９を下から挿入して、上ブラケット３７と錠ケース収納部材３１を連結する。上ブラケット３７と錠ケース収納部材３１の連結は、図５に示すように、上ブラケット３７を戸先側から止めるねじ４９で錠ケース収納部材３１に止める。
その後、上係合部材２７のねじ部５７を下にして、戸先側縦材７に上から挿入してグレモンケース２５内のリンク機構に螺合して取付ける。
次に、戸先側縦材７の見込み面から錠ケース収納部材３１の錠ケース挿通孔４１を介して中空部内に錠ケース１５を挿入し、錠ケース１５を戸先側縦材７に固定する。
最後に、戸先側縦材７の見付け面にラッチハンドル１７、グレモンハンドル２３及びサムターン１３を取付ける。
【００１５】
本実施の形態にかかる建具の作用及び効果について説明する。
錠装置１１の操作は、ラッチハンドル１７の操作によりラッチ１９を没して、扉５を開き、ラッチハンドルを戻して扉５を閉じる。
扉５を施錠するときには、各錠装置１１のサムターン１３を操作して各デッドボルト２１を突出させて枠に係合させる。
グレモン装置９の締め操作は、グレモンハンドル２３を操作すると、上係合部材２７が上方に移動すると共に連結部材３３が下方に移動し、上係合部材２７の枠係合部５９が上枠３ａに当接して室内側に移動して係合すると共に、連結部材３３に連結してある錠ケース収納部材３１と下係合部材２９が下方に移動して、下係合部材２９の枠係合部５９が下枠３ｂに当接して室内側に移動して係合する。さらに、グレモン装置９のデッドボルト３５が突出して戸先側竪枠３ｃに係合する。これにより、扉５を枠３に引き寄せて密着させ、建具１の防音を図ることができる。
【００１６】
本実施の形態によれば、図１に示すように、錠ケース１５は錠ケース収納部材３１に形成してある中空内に配置して、錠ケース挿通孔４１を介して戸先側縦材７に固定してあると共に錠ケース挿通孔４１の上下寸法Ｈ２は錠ケース１５の上下寸法Ｈ１よりも長くしてあるから、中空内に配置した錠ケース１５を残して錠ケース収納部材３１が上下動でき、上係合部材２７、下係合２９及び錠ケース収納部材３１が錠ケース１５と干渉することがない。
更に、上係合部材２７及び下係合部材２９をその移動方向に沿う直線状にできるから、これらの部材２７、２９の剛性の低下を防止できる。
【００１７】
上述したグレモン装置９と錠装置１１との組付けについて説明したように、上ブラケット３７を設けたグレモンケース２５、下係合部材２９を連結した錠ケース収納部材３１及び錠ケース１５のように、パーツに分けて戸先側縦材７に組み込めるので、組付け及び取り外しが容易であり、また、上係合部材２７及び下係合部材２９が各々螺合によって所定の部品に取付けてあり、上ブラケット３７と錠ケース収納部材３１とが戸先側からのねじ４９で着脱可能に連結してあるので、各部品の交換の必要が生じた場合に、全てを取り外さなくても、必要な部分、例えば、上係合部材２７、錠ケース収納部材３１、下係合部材２９、錠ケース１５等を取り外して交換することが可能なので、メンテナンス性が良好である。
特に、図５に示すように、上ブラケット３７は断面略コ字形状にして戸先側から止めるねじ４９で錠ケース収納部材３１に止めてあり、図３に示すように、下ブラケット５１は断面略コ字形状にして戸先側と戸尻側から止めるねじ５３で錠ケース収納部材３１に止めてあるから、組み立てやすく且つメンテナンス性が良い。
また、上ブラケット３７と下ブラケット５１とは同一形状であり、同種のものを用いることができるから、部品種類を少なくできる。上係合部材２７と下係合部材２９も同一形状であり、同種のものを用いることができるから、部品種類を少なくできる。
錠ケース収納部材３１は、中空形材に錠ケース挿通孔４１や、長孔４５、４７ａ、４７ｂを加工するだけであるから、簡易な構成で且つ加工が容易である。
本実施の形態では、２箇所に錠装置１１を設けているので、防犯性が高い。
【００１８】
本発明は、上述した実施の形態に限らず、本発明の要旨を逸脱しない範囲で種々変形可能である。
例えば、建具１は、ドアに限らず、開きサッシ等で合っても良い。
錠ケース１５及び錠ケース収納部材３１をグレモンケース２５の上に設け、上係合部材２７とハンドル２３との間に錠ケース収納部材３１配置して、錠ケース収納部材３１を上係合部材２７に連結しても良い。
戸先側縦材７は、フラッシュ戸の縦材に限らず、框戸の竪框であっても良い。
【符号の説明】
【００１９】
１    建具
３    枠
７    戸先側縦材
９    グレモン装置
１１  錠装置
１５  錠ケース
２３  グレモンハンドル（ハンドル）
２７  上係合部材
２９  下係合部材
３１  錠ケース収納部材
４１  錠ケース挿通孔
【図１】
2014202045.tif 000003
【図２】
2014202045.tif 000004
【図３】
2014202045.tif 000005
【図４】
2014202045.tif 000006
【図５】
2014202045.tif 000007
【図６】
2014202045.tif 000008
【図７】
2014202045.tif 000009